(57)【特許請求の範囲】
【請求項１】
告知放送送信機から送信された告知放送信号を受信して告知放送を行う告知放送受信機であって、
前記告知放送信号に基づいて行われる告知放送の種別であって当該告知放送信号の送信を行う送信者の種別である放送種別と、前記告知放送信号を当該告知放送受信機において放送する際の放送形態とを、相互に関連付けて構成された設定情報を格納する設定情報格納手段と、
前記告知放送信号を受信した際、当該受信した告知放送信号に放送種別設定コマンドが含まれている場合には、当該受信した告知放送信号から前記放送種別を取得し、当該取得した放送種別を当該告知放送受信機の前記設定情報格納手段に設定する放送種別設定手段と、
前記告知放送受信機に対する受信者からの操作を受け付けるための操作手段であって、前記放送種別設定手段により前記設定情報格納手段に設定された前記放送種別に対応する放送形態の入力を受け付け、当該受け付けた放送形態を前記放送種別設定手段により設定された前記放送種別に対応付けて前記設定情報格納手段に格納する操作手段と、
前記告知放送信号を受信した際、当該受信した告知放送信号から前記放送種別を取得し、当該取得した放送種別に対応する放送形態を前記設定情報格納手段に格納された設定情報に基づいて特定し、当該特定した放送形態により、当該受信した告知放送信号に基づく告知放送を行う放送形態制御手段と、を備え、
前記放送形態として、前記受信した告知放送信号に基づく出力を行わない無放送形態、前記受信した告知放送信号に基づく音声出力を行う音声放送形態、前記受信した告知放送信号に基づく表示出力を行う表示放送形態、又は前記受信した告知放送信号に基づく放送を再生可能に録音する録音放送形態、の中の少なくとも２つの放送形態が設定され、
前記放送形態制御手段は、
前記告知放送信号を受信した際、当該受信した告知放送信号に告知放送コマンドが含まれている場合には、当該受信した告知放送信号から前記放送種別を取得し、当該取得した放送種別に対応する放送形態を前記設定情報格納手段に格納された設定情報に基づいて特定し、
前記特定した放送形態が前記無放送形態である場合には、前記受信した告知放送信号に基づく出力を行わず、前記特定した放送形態が前記音声放送形態である場合には、前記受信した告知放送信号に基づく音声出力を行い、前記特定した放送形態が前記表示放送形態である場合には、前記受信した告知放送信号に基づく表示出力を行い、前記特定した放送形態が前記録音放送形態である場合には、前記受信した告知放送信号に基づく音声出力又は表示出力が実行可能となるように当該告知放送信号に基づく録音を行う、
告知放送受信機。
【請求項２】
前記放送形態制御手段は、前記告知放送信号を受信した際、緊急告知放送用の告知放送信号であるか否かを特定するための緊急告知放送情報を当該受信した告知放送信号から取得し、当該取得した緊急告知放送情報に基づいて当該受信した告知放送信号が緊急告知放送用の告知放送信号であるか否かを特定し、緊急告知放送用の告知放送信号であると特定した場合には、当該受信した告知放送信号に含まれる放送種別に関わらず、当該受信した告知放送信号に基づく緊急告知放送を行う、
請求項１に記載の告知放送受信機。
【請求項３】
告知放送を行う告知放送受信機に告知放送信号を送信する告知放送送信機であって、
前記告知放送信号に基づいて行われる告知放送の種別であって当該告知放送信号の送信を行う送信者の種別である放送種別の入力を受け付ける入力受付け手段と、
前記告知放送信号を送信する際、前記入力受付け手段にて受け付けられた放送種別を当該告知放送信号に含めて送信する送信制御手段と、
を備えた告知放送送信機。
【発明の詳細な説明】
【技術分野】
【０００１】
本発明は、告知放送を行うための告知放送システムを構成する告知放送受信機及び告知放送送信機に関する。
【背景技術】
【０００２】
放送センターから複数の住戸に対して災害情報等の告知放送を行うための告知放送システムがある。この告知放送システムは、概略的に、放送センターに配置され告知放送信号を発信する告知放送送信機と、各住戸の屋内に配置されて告知放送信号を受信する告知放送受信機とを備えて構成されている（例えば特許文献１参照）。
【０００３】
このような告知放送システムにおいて、告知放送送信機は、告知放送信号に、当該告知放送信号に基づく告知放送を行う告知放送受信機を特定するための告知放送受信機ＩＤや、当該告知放送信号に基づく告知放送を行う告知放送受信機のグループを特定するためのグループＩＤを含めることができる。一方、告知放送受信機には、当該告知放送受信機を特定するための告知放送受信機ＩＤや、当該告知放送受信機が属するグループを特定するためのグループＩＤを設定することができる。そして、告知放送受信機は、告知放送送信機から告知放送信号を受信した場合、当該受信した告知放送信号に含まれる告知放送受信機ＩＤやグループＩＤが、当該告知放送受信機に設定されている告知放送受信機ＩＤやグループＩＤに一致するか否かを判定し、一致する場合には当該告知放送信号に基づく告知放送を行い、一致しない場合には当該告知放送信号に基づく告知放送を行わない。このことにより、告知放送受信機や告知放送受信機が属するグループに基づいて、告知放送を行うか否かを選択することが可能である。
【先行技術文献】
【特許文献】
【０００４】
【特許文献１】特開２０１０−２５８８７６号公報
【発明の概要】
【発明が解決しようとする課題】
【０００５】
しかしながら、上記従来の告知放送システムでは、告知放送受信機を備える住戸側において、告知放送を行うか否かを選択することはできなかった。すなわち、告知放送の種別（内容）として、例えば役場からのお知らせ、学校からのお知らせや、企業からの広告のお知らせ等が存在する場合において、告知放送受信機のユーザが、役場や学校からのお知らせは聴取したいが、企業からのお知らせは聴取したくない場合であっても、告知放送信号に含まれる告知放送受信機ＩＤやグループＩＤが、当該告知放送受信機に設定されている告知放送受信機ＩＤやグループＩＤに一致する場合には、全ての告知放送を行ってしまうため、聴取したくない企業からのお知らせを聴取せざるを得ず、告知放送システムの利便性の観点から問題があった。また、告知放送を受信した場合は告知放送受信機のスピーカから放送すると同時に、告知放送受信機内の記録部に一度記録して、ユーザが再生して放送を確認することができる。再生した告知放送は削除することができる。告知放送受信機が記憶できる放送の数は限られており、所定数以上の告知放送を受信する場合には古い告知放送を自動的に削除してから、新しく受信した告知放送を記録していた。そのため、上述した聴取しなくない告知放送を受信した場合であっても、告知放送受信機ＩＤやグループＩＤに一致する場合には、一番古い告知放送を削除してから記憶するため、再生して確認していない聴取したい例えば役場からのお知らせが削除されて、聴取する必要のない企業からのお知らせに更新される可能性がある。
【０００６】
本発明は、上記に鑑みてなされたものであって、告知放送を聴取するユーザの嗜好にあわせて告知放送受信機から告知放送を行い、告知放送システムの利便性を向上させることが可能になる、告知放送受信機及び告知放送送信機を提供することを目的とする。
【課題を解決するための手段】
【０００７】
上述した課題を解決し、目的を達成するために、請求項１に記載の告知放送受信機は、告知放送送信機から送信された告知放送信号を受信して告知放送を行う告知放送受信機であって、前記告知放送信号に基づいて行われる告知放送の種別であって当該告知放送信号の送信を行う送信者の種別である放送種別と、前記告知放送信号を当該告知放送受信機において放送する際の放送形態とを、相互に関連付けて構成された設定情報を格納する設定情報格納手段と、前記告知放送信号を受信した際、当該受信した告知放送信号から前記放送種別を取得し、当該取得した放送種別に対応する放送形態を前記設定情報格納手段に格納された設定情報に基づいて特定し、当該特定した放送形態により、当該受信した告知放送信号に基づく告知放送を行う放送形態制御手段と、前記告知放送信号を受信した際、当該受信した告知放送信号に放送種別設定コマンドが含まれている場合には、当該受信した告知放送信号から前記放送種別を取得し、当該取得した放送種別を当該告知放送受信機の前記設定情報格納手段に設定する放送種別設定手段と、前記告知放送受信機に対する受信者からの操作を受け付けるための操作手段であって、前記放送種別設定手段により前記設定情報格納手段に設定された前記放送種別に対応する放送形態の入力を受け付け、当該受け付けた放送形態を前記放送種別設定手段により設定された前記放送種別に対応付けて前記設定情報格納手段に格納する操作手段と、を備え、前記放送形態として、前記受信した告知放送信号に基づく出力を行わない無放送形態、前記受信した告知放送信号に基づく音声出力を行う音声放送形態、前記受信した告知放送信号に基づく表示出力を行う表示放送形態、又は前記受信した告知放送信号に基づく放送を再生可能に録音する録音放送形態、の中の少なくとも２つの放送形態が設定され、前記放送形態制御手段は、前記告知放送信号を受信した際、当該受信した告知放送信号に告知放送コマンドが含まれている場合には、当該受信した告知放送信号から前記放送種別を取得し、当該取得した放送種別に対応する放送形態を前記設定情報格納手段に格納された設定情報に基づいて特定し、前記特定した放送形態が前記無放送形態である場合には、前記受信した告知放送信号に基づく出力を行わず、前記特定した放送形態が前記音声放送形態である場合には、前記受信した告知放送信号に基づく音声出力を行い、前記特定した放送形態が前記表示放送形態である場合には、前記受信した告知放送信号に基づく表示出力を行い、前記特定した放送形態が前記録音放送形態である場合には、前記受信した告知放送信号に基づく音声出力又は表示出力が実行可能となるように当該告知放送信号に基づく録音を行う。
【０００８】
請求項２に記載の告知放送受信機は、請求項１に記載の告知放送受信機において、前記放送形態制御手段は、前記告知放送信号を受信した際、緊急告知放送用の告知放送信号であるか否かを特定するための緊急告知放送情報を当該受信した告知放送信号から取得し、当該取得した緊急告知放送情報に基づいて当該受信した告知放送信号が緊急告知放送用の告知放送信号であるか否かを特定し、緊急告知放送用の告知放送信号であると特定した場合には、当該受信した告知放送信号に含まれる放送種別に関わらず、当該受信した告知放送信号に基づく緊急告知放送を行う。
【０００９】
請求項３に記載の告知放送送信機は、告知放送を行う告知放送受信機に告知放送信号を送信する告知放送送信機であって、前記告知放送信号に基づいて行われる告知放送の種別であって当該告知放送信号の送信を行う送信者の種別である放送種別の入力を受け付ける入力受付け手段と、前記告知放送信号を送信する際、前記入力受付け手段にて受け付けられた放送種別を当該告知放送信号に含めて送信する送信制御手段と、を備えた。
【発明の効果】
【００１２】
請求項１に記載の告知放送受信機によれば、告知放送信号に含まれる放送種別に対応する放送形態により告知放送を行うので、放送種別毎に放送の有無や放送の出力形態を任意に選択することが可能になり、告知放送システムの利便性を向上させることが可能になる。
また、無放送形態、音声放送形態、表示放送形態、又は録音放送形態、の中の少なくとも２つの放送形態を設定することで、放送種別毎にこれら少なくとも２つの放送形態を切替えて告知放送を行うことが可能になり、告知放送システムの利便性を向上させることが可能になる。
また、告知放送信号から放送種別を取得して告知放送受信機に設定することができるので、新規な放送種別が発生した場合であっても、この放送種別をセンター側から告知放送受信機に設定することが可能になる。
【００１４】
請求項２に記載の告知放送受信機によれば、緊急告知放送用の告知放送信号であると特定した場合には、放送種別に関わらず緊急告知放送を行うので、放送種別により放送形態の切替えを可能とした場合においても、緊急告知放送を確実に行うことが可能になる。
【００１６】
請求項３に記載の告知放送送信機によれば、放送種別を告知放送信号に含めて送信することができるので、この放送種別を用いて告知放送受信機において放送の有無や放送の出力形態を任意の選択することが可能になり、告知放送システムの利便性を向上させることが可能になる。
【図面の簡単な説明】
【００１７】
【図１】本発明の実施の形態に係る告知放送システムを機能概念的に示したブロック図である。
【図２】告知放送受信機の外観を示す斜視図である。
【図３】設定情報テーブルの構成例を示す図である。
【図４】告知放送送信機における放送種別設定処理を示すフローチャートである。
【図５】告知放送送信機における告知放送処理を示すフローチャートである。
【図６】告知放送受信機における放送形態設定処理を示すフローチャートである。
【図７】告知放送受信機における告知放送処理を示すフローチャートである。
【図８】図７に続く、告知放送受信機における告知放送処理を示すフローチャートである。
【発明を実施するための形態】
【００１８】
以下に添付図面を参照して、この発明に係る告知放送受信機及び告知放送送信機の実施の形態を詳細に説明する。まず、〔Ｉ〕実施の形態に共通の基本的概念を説明した後、〔ＩＩ〕実施の形態の具体的内容について説明し、〔ＩＩＩ〕最後に、実施の形態に対する変形例について説明する。ただし、実施の形態によって本発明が限定されるものではない。
【００１９】
〔Ｉ〕実施の形態に共通の基本的概念
まず、実施の形態の基本的概念について説明する。本発明は、放送センターより告知放送信号を送信するための告知放送送信機と、この告知放送信号を受信する告知放送受信機に関するものである。ここで、「告知放送システム」とは、放送センターから複数の住戸等に対して各種の告知放送（さらに場合によってはＴＶ放送）を行うためのシステムであって、放送センター側に配置される告知放送送信機と、各住戸側に配置される告知放送受信機と、告知放送送信機から送信された告知放送信号を告知放送受信機に送信する伝送系統４０を備えて構成されている。「告知放送信号」とは、告知放送のために送信する電波信号であり、ＴＶ放送信号やデジタルラジオ放送信号等の他の放送信号が多重されている信号を含む。また、「告知放送信号」とは、光信号と電気信号の両方を含む概念であり、特記する場合を除き単に「告知放送信号」と称する。「告知放送信号を送信する」とは、告知放送信号を放送波として無線や有線にて送信することを含む。「放送センター」とは、告知放送送信機が備えられた発信所であって、例えば役所、消防署、ＣＡＴＶ局などを含む。
【００２０】
この告知放送送信機の特徴の一つは、概略的に、告知放送信号を送信する際、告知放送の種別である放送種別を当該告知放送信号に含めて送信する点にある。また、告知放送受信機の特徴の一つは、概略的に、告知放送信号を受信した際、当該受信した告知放送信号から放送種別を取得し、当該取得した放送種別に対応する放送形態を特定し、当該特定した放送形態により、当該受信した告知放送信号に基づく告知放送を行う点にある。従って、告知放送の放送種別に基づいて、告知放送の放送形態を変えることが可能になり、告知放送システムの利便性を向上させることが可能になる。
【００２１】
ここで、「放送種別」とは、告知放送信号に基づいて告知放送受信機において行われる告知放送の種別であり、例えば、告知放送に関与する者（例えば、放送センターにおいて告知放送信号の送信を行う者（以下、送信者）や、各住戸において告知放送信号を受信して告知放送を聴取する者（以下、受信者））の属性、告知放送の目的、あるいは告知放送の内容を示すためのである。以下では、「放送の種別」として、「役場からのお知らせ」、「学校からのお知らせ」、「企業からのお知らせ」、「災害情報」、「お知らせ表示」及び「広告表示」が存在するものとする。「役場からのお知らせ」、「学校からのお知らせ」、「企業からのお知らせ」及び「災害情報」は音声にて放送する告知放送であり、「お知らせ表示」及び「広告表示」は告知放送受信機に設けた表示部に文字を表示することで放送する告知放送である。
「お知らせ表示」は役場などからのお知らせであり、「広告表示」は企業や商店からの広告である。
【００２２】
また、「放送形態」とは、告知放送信号に基づいて告知放送受信機において告知放送を行う形態であり、例えば、告知放送の出力の有無や、告知放送における出力の種類（例えば、音声出力や表示出力等）、告知放送の繰り返し回数、あるいは告知放送の出力音量である。以下では、「放送形態」として、受信した告知放送信号に基づく告知放送を音声出力するともに再生可能に録音する形態（以下、「録音放送形態」）、受信した告知放送信号に基づく出力を行わない形態（以下、「無放送形態」）、受信した告知放送信号に基づく音声出力を行うが録音はしない形態（以下、「音声放送形態」）及び受信した告知放送信号に基づく表示部への表示出力及び記憶を行う形態（以下、「表示放送形態」）が存在するものとする。
【００２３】
〔ＩＩ〕実施の形態の具体的内容
次に、本発明に係る実施の形態の具体的内容について説明する。
【００２４】
（構成）
まず、この実施の形態に係る告知放送システムの構成を説明する。図１は、本実施の形態に係る告知放送システムを機能概念的に示したブロック図、図２は、告知放送受信機２０の外観を示す斜視図である。図１に示すように、告知放送システム１は、センター側に配置された告知放送送信機１０、各住戸に配置された告知放送受信機２０、及び告知放送送信機１０から送信された告知放送信号を告知放送受信機２０に送信する伝送系統４０を備えて構成されている。なお、特記する構成を除き、告知放送送信機１０、告知放送受信機２０、及び伝送系統４０は、従来の告知放送システムと同様に構成することが出来る。
【００２５】
（構成−告知放送送信機）
このうち、告知放送送信機１０は、告知放送信号を送信する送信手段であり、操作部１１、表示部１２、マイク１３、ＢＧＭ源１４、メモリ１５、日時回路１６、送信部１７、及び制御部１８を備えて構成されている。
【００２６】
操作部１１は、当該告知放送送信機１０に対する各種の操作を行うための操作手段であり、告知放送信号に基づいて行われる放送の種別である放送種別の入力を受け付ける入力受付け手段であって、例えば、各種の図示しないスイッチやキーボード、あるいは表示部１２のモニタの前に重畳的に配置されたタッチパネルとして構成されている。表示部１２は、所要の情報を送信者に向けて表示するための表示手段であり、例えば、図示しないモニタや表示灯を含んで構成されている。マイク１３は、告知放送用の音声を入力するための音声入力手段である。ＢＧＭ源１４は、告知放送用の背景音楽の音源になる音源手段である。メモリ１５は、当該告知放送送信機１０の各種制御に必要な情報を記録する記録手段である。日時回路１６は、年月日及び時分を含んだ日時情報を出力する日時手段であり、告知放送信号の送信開始日時を設定したり、告知放送のデータに放送日時情報を含めることができる。送信部１７は、告知放送信号をヘッドエンド４１へ送信する送信手段である。
【００２７】
制御部１８は、当該告知放送送信機１０の各部を制御する制御手段であり、例えば、図示しないＣＰＵ（Ｃｅｎｔｒａｌ  Ｐｒｏｃｅｓｓｉｎｇ  Ｕｎｉｔ）及びこのＣＰＵ上で解釈実行されるプログラムを含んで構成されている（制御部３１も同じ）。この制御部１８は、機能概念的に、送信制御部１８ａを備える。この送信制御部１８ａは、告知放送信号を送信する際、操作部１１にて受け付けられた放送種別を当該告知放送信号に含めて送信する送信制御手段である。この送信制御部１８ａの具体的な機能については後述する。
【００２８】
（構成−伝送系統）
次に、伝送系統４０は、ヘッドエンド４１、このヘッドエンド４１から各住戸の告知放送受信機２０に至る伝送線路４２、さらに、この伝送線路４２に配置された、増幅器４３、分配増幅器４４、及び分配器４５を備えて構成されている。ヘッドエンド４１は、告知放送送信機１０の送信部１７から送信された電気信号を受信し、この電気信号をレベル増幅して伝送線路４２に送出する増幅送信手段である。伝送線路４２は、告知放送信号を送信する送信線路であり、例えば、同軸ケーブルや光ケーブルが用いられる。増幅器４３は、伝送線路４２を流れる信号を増幅する増幅手段である。分配増幅器４４は、信号を増幅した上で、各住戸に向けて分配する分配増幅手段である。分配器４５は、分配増幅器４４にて増幅された信号を各住戸に向けて分配する分配手段である。
【００２９】
（構成−告知放送受信機）
次に、本実施の形態に係る告知放送受信機２０について説明する。図１、２に示すように、告知放送受信機２０は、アンテナ２１、復調部２２、音声切換え部２３、音声記録部２４、音量調整部２５、アンプ２６、スピーカ２７、操作部２８、表示部２９、メモリ３０、及び制御部３１を備えて構成されている。
【００３０】
アンテナ２１は、ＦＭラジオ等の電波を受信するためのアンテナである。復調部２２は、信号変換部から出力された告知放送信号を復調する告知放送復調手段であり、音声情報を音声切換え部２３に出力するとともに制御部３１に出力する。音声切換え部２３は、復調部２２から出力された音声情報又は復調部２２から出力された音声信号を音声記録部２４に出力し、あるいは、復調部２２又は音声記録部２４から出力された音声情報を音量調整部２５に出力する音声切換え手段である。音声記録部２４は、音声情報を所定回数（ここでは５回とする）だけ録音する格納手段である。音量調整部２５は、音声切換え部２３から出力された音声情報の音量を調整してアンプ２６に出力する。この音声情報は、アンプ２６にて増幅された後、スピーカ２７から出力される。このスピーカ２７は、音声記録部２４にて録音された音声情報を再生する再生手段である。
【００３１】
操作部２８は、当該告知放送受信機２０に対する各種の操作を行うための操作手段であり、具体的には、告知放送受信機に録音された告知放送の再生を指示するための告知再生スイッチ２８ａ、アンテナ２１から受信したＦＭラジオ放送等の再生を指示するためのラジオ再生スイッチ２８ｂ、放送音量を調節するためのボリュームスイッチ２８ｃ、及び表示部２９のモニタ２９ｄの前に重畳的に配置されたタッチパネル２８ｄとして構成されている。表示部２９は、所要の情報を受信者に向けて表示するための表示手段であり、具体的には、電源ＯＮ時に点灯する電源表示灯２９ａ、緊急放送時に点灯又は点滅する緊急放送表示灯２９ｂ、一般放送時に点灯又は点滅する一般放送表示灯２９ｃ、及びモニタ２９ｄとして構成されている。
【００３２】
メモリ３０は、当該放送出力部の各種制御に必要な情報を記録する記録手段であり、設定情報を格納する設定情報格納手段である。ここで、「設定情報」とは、放送種別と放送形態との対応関係を特定するために設定された情報であり、本実施の形態には、設定情報テーブル３０ａとしてメモリ３０に格納されている。図３は、設定情報テーブル３０ａの構成例を示す図である。この設定情報テーブル３０ａは、項目「放送種別」に対応する情報と、項目「放送形態」に対応する情報とを、相互に関連付けて構成されている。例えば、項目「放送種別」に対応する情報＝「役場からのお知らせ」と、項目「放送形態」に対応する情報＝「録音放送形態」とが、相互に関連付けられている場合には、放送種別＝「役場からのお知らせ」を含む告知放送信号に基づく告知放送を、放送形態＝録音放送形態で放送する（受信した告知放送信号に基づく放送と録音を行う）ことを意味する。
【００３３】
図１、２において、制御部３１は、当該放送出力部の各部を制御する制御手段である。この制御部３１は、機能概念的に、放送種別設定部３１ａ、放送形態設定部３１ｂ、及び放送形態制御部３１ｃを備える。放送種別設定部３１ａは、告知放送信号を受信した際、当該受信した告知放送信号から放送種別を取得し、当該取得した放送種別を当該告知放送受信機２０に設定するための処理の処理を行う放送種別設定手段である。放送形態設定部３１ｂは、放送種別と放送形態との対応関係を設定する放送形態設定手段である。放送形態制御部３１ｃは、告知放送信号を受信した際、当該受信した告知放送信号から放送種別を取得し、当該取得した放送種別に対応する放送形態を設定情報テーブル３０ａに格納された設定情報に基づいて特定し、当該特定した放送形態により当該受信した告知放送信号に基づく告知放送を行う放送形態制御手段である。これら制御部３１の各部の具体的な機能については後述する。
【００３４】
（処理）
次に、このように構成された告知放送システム１を用いて行われる処理について説明する。最初に、告知放送送信機１０で行われる処理について説明し、次いで、告知放送受信機２０で行われる処理について説明する。以下の各処理の説明において、制御主体を特記しない処理については、制御部１８、３１にて実行されるものとし、情報の取得元や取得経路を特記しない場合については、公知のタイミング及び公知の方法にて、メモリ１５、３０に予め格納されており、あるいは、操作部１１、２８を介して送信者又は受信者によって入力されるものとする。また、ステップを「Ｓ」と略記する。
【００３５】
（処理−告知放送送信機で行われる処理）
告知放送送信機１０で行われる処理としては、放送種別を告知放送受信機２０に設定するための放送種別設定処理と、告知放送を行うための告知放送処理とがあるので、以下、各処理を順次説明する。
【００３６】
（処理−告知放送送信機で行われる処理−放送種別設定処理）
図４は、告知放送送信機１０における放送種別設定処理を示すフローチャートである。この処理は、告知放送送信機１０の電源が投入されることにより自動的に起動される。送信者は、新規に設定したい放送種別（受信機に未だ設定されていない放送種別であって、今後の告知放送の放送種別に含まれ得る放送種別）がある場合、放送種別の設定を行うことを操作部１１を介して所定方法で指示すると（ＳＡ１、Ｙｅｓ）、送信制御部１８ａは、放送種別設定用画面を生成し、当該生成した放送種別設定用画面を表示部１２のモニタに表示する（ＳＡ２）。この放送種別設定用画面は、放送種別を新規に設定するための画面であり、例えば、放送種別をテキストデータとして入力するための入力欄と、放送種別の設定の実行を指示する指示ボタンとを含んで表示されている。そして、送信者が、入力欄に「災害情報」の如き放送種別をテキストデータとして入力して指示ボタンを選択すると、放送種別の設定が受け付けられる。放送種別の設定の入力が受け付けられると（ＳＡ３、Ｙｅｓ）、送信制御部１８ａは、設定された放送種別をメモリ１５に格納する（ＳＡ４）。
【００３７】
次いで、送信制御部１８ａは、放送種別を告知放送受信機２０に設定するための告知放送信号を生成して伝送系統４０を介して送信する（ＳＡ５）。この告知放送信号は、例えば、所定のフォーマットにて生成された信号であって、ヘッダー領域、コマンド領域、及び放送内容領域を含む。ヘッダー領域は、各種のメタデータを含む領域であり、本実施の形態では放送種別が含められる領域である。コマンド領域は、当該告知放送信号を受信した告知放送受信機２０に対する制御内容を特定するための制御情報（以下、コマンド）が含められる領域である。放送内容領域は、当該告知放送信号を受信した告知放送受信機２０によって行われる告知放送の内容の如き実体的情報が含められる領域である。このＳＡ５において、例えば、告知放送信号としては、ヘッダー領域に放送種別＝「災害情報」を含め、コマンド領域にコマンド＝放送種別設定コマンドを含め、放送内容領域にＳＡ３で受け付けられた放送種別＝「災害情報」を示すテキストデータを含める。これにて告知放送送信機１０における放送種別設定処理が終了する。
【００３８】
（処理−告知放送送信機で行われる処理−告知放送処理）
次に、告知放送を行うための告知放送処理について説明する。図５は、告知放送送信機１０における告知放送処理を示すフローチャートである。この処理は、告知放送送信機１０の電源が投入されることにより自動的に起動される。送信者が、マイク１３やＢＧＭ源１４を介して告知放送の音声データを入力したり、キーボードやタッチパネルを介して告知放送の表示データを入力し、当該入力した内容による告知放送を行うことを操作部１１を介して所定方法で指示すると（ＳＢ１、Ｙｅｓ）、送信制御部１８ａは、放送種別入力用画面を生成し、当該生成した放送種別入力用画面を表示部１２のモニタに表示する（ＳＢ２）。この放送種別入力用画面は、告知放送の放送種別を入力するための画面であり、例えば、「役場からのお知らせ」、「学校からのお知らせ」、「企業からのお知らせ」、及び「災害情報」等の放送種別のテキストと、選択ボタンとを含んで構成されている。そして、送信者がタッチパネルを介して、指定したい放送種別のテキストに対応する選択ボタンを選択すること、当該選択された内容により、放送種別の入力がタッチパネルを介して受け付けられる。
【００３９】
放送種別の入力が受け付けられると（ＳＢ３、Ｙｅｓ）、送信制御部１８ａは、当該受け付けられた放送種別を含んだ告知放送信号を生成して伝送系統４０を介して送信する（ＳＢ４）。例えば、ＳＢ３において放送種別＝「役場からのお知らせ」が受け付けられた場合、このＳＢ４において、告知放送信号のヘッダー領域には、放送種別＝「役場からのお知らせ」を含める。また、コマンド領域にはコマンド＝告知放送コマンドを含め、放送内容領域にはＳＢ１で入力された音声データや表示データを含める。また、ＳＢ１において、送信者は、操作部１１を介して所定方法で、告知放送が緊急放送であるか否かを指定することができ、緊急放送であることが指定された場合には、このＳＢ４において、コマンド領域には緊急告知放送コマンドを含める。この緊急告知放送コマンドは、緊急告知放送用の告知放送信号であるか否かを特定するための緊急告知放送情報である。一方、緊急放送であることが指定されなかった場合には、コマンド領域には一般告知放送コマンドを含める。これにて告知放送送信機１０における告知放送処理が終了する。
【００４０】
（処理−告知放送受信機で行われる処理）
次に、告知放送受信機２０で行われる処理について説明する。告知放送受信機２０で行われる処理としては、放送形態を告知放送受信機２０に設定するための放送形態設定処理と、告知放送を行うための告知放送処理とがあるので、以下、各処理を順次説明する。
【００４１】
（処理−告知放送受信機で行われる処理−放送形態設定処理）
図６は、告知放送受信機２０における放送形態設定処理を示すフローチャートである。この処理は、告知放送受信機２０の電源が投入されることにより自動的に起動される。
【００４２】
受信者は、放送形態の設定を行いたい場合、放送形態の設定を行うことを操作部２８を介して所定方法で指示すると（ＳＣ１、Ｙｅｓ）、放送形態設定部３１ｂは、放送形態設定用画面を生成し、当該生成した放送形態設定用画面をモニタ２９ｄに表示する（ＳＣ２）。この放送形態設定用画面は、放送種別と放送形態との対応関係を設定するための画面であり、例えば、メモリ３０に格納されている放送種別を表示する表示欄と、設定可能なものとして予めメモリ３０に格納されている放送形態を表示する表示欄と、放送形態の設定の実行を指示する指示ボタンとを含んで表示されている。そして、受信者が、タッチパネル２８ｄを介して、表示されている放送種別の中から一つの放送種別を選択すると共に、表示されている放送形態の中から一つの放送形態を選択して指示ボタンを選択すると、放送種別と放送形態との対応関係の設定がタッチパネル２８ｄを介して受け付けられる。
【００４３】
放送種別と放送形態との対応関係の設定が受け付けられると（ＳＣ３、Ｙｅｓ）、放送形態設定部３１ｂは、当該受け付けられた対応関係に基づいて、メモリ３０の設定情報テーブル３０ａの内容を更新する（ＳＣ４）。例えば、放送形態設定部３１ｂは、放送種別＝「役場からのお知らせ」が選択されると共に、放送形態＝「録音放送形態」が選択された場合、放送種別＝「役場からのお知らせ」と放送形態＝「録音放送形態」とを相互に対応付けて設定情報テーブル３０ａに格納する。この際、放送種別＝「役場からのお知らせ」に対応する放送形態が設定情報テーブル３０ａに既に格納されている場合には、当該放送形態を書き換える。このように更新された設定情報テーブル３０ａに基づいて、後述する告知放送受信機２０における告知放送処理において、放送種別に基づいた放送形態が特定される。これにて告知放送受信機２０における放送形態設定処理が終了する。
【００４４】
（処理−告知放送受信機で行われる処理−告知放送処理）
図７、８は、告知放送受信機２０における告知放送処理を示すフローチャートである。この処理は、告知放送受信機２０の電源が投入されることにより自動的に起動される。
【００４５】
告知放送受信機２０の制御部３１は、伝送系統４０を介して告知放送信号が受信されたか否かを監視しており（ＳＤ１）、告知放送信号が受信された場合には（ＳＤ１、Ｙｅｓ）、当該告知放送信号が緊急告知放送用の告知放送信号であるか否かを判定する（ＳＤ２）。具体的には、制御部３１は、当該告知放送信号のコマンド領域に含まれるコマンドを取得し、当該取得したコマンドに基づいて当該受信した告知放送信号が緊急告知放送用の告知放送信号であるか否かを特定する。ここでは、当該取得したコマンドが緊急告知放送コマンドである場合に、当該受信した告知放送信号が緊急告知放送用の告知放送信号であると判定する。
【００４６】
そして、緊急告知放送用の告知放送信号であると特定した場合（ＳＤ２、Ｙｅｓ）、制御部３１は、放送種別に関わらず告知放送すべきであるため、放送種別の判定を行うことなく、当該告知放送信号の放送内容領域に含まれるデータに基づいて、公知の方法により告知放送を行う（ＳＤ３）。例えば、放送内容領域に含まれる音声データをスピーカ２７により所定の緊急告知放送用の音量（例えば最大音量）で音声出力すると共に、放送内容領域に含まれる表示データを表示部２９のモニタ２９ｄにより表示出力する。また、緊急放送表示灯２９ｂを点灯させる。緊急告知放送用の告知放送信号である場合は、音声記録部に記録されて、再生することができる。これにて告知放送受信機２０における告知放送処理が終了する。
【００４７】
一方、緊急告知放送用の告知放送信号ではないと特定した場合（ＳＤ２、Ｎｏ）、制御部３１は、当該告知放送信号のコマンド領域に含まれるコマンドが放送種別設定コマンドであるか否かを特定する（ＳＤ４）。そして、放送種別設定コマンドであると特定した場合（ＳＤ４、Ｙｅｓ）、放送種別設定部３１ａは、当該告知放送信号に基づいて放送種別を設定する（ＳＤ５）。具体的には、放送種別設定部３１ａは、当該受信した告知放送信号のヘッダー領域から放送種別を取得し、当該取得した放送種別をメモリ３０の設定情報テーブル３０ａに格納する。この場合、放送種別に対応する放送形態は設定されていないため、放送種別のみを設定情報テーブル３０ａに格納するものとするが、このように設定情報テーブル３０ａに格納された放送種別が図６のＳＣ２で読み出されて放送形態設定用画面に表示されることで、必要に応じてこの放送種別に対応する放送形態が設定されることになる。なお、放送形態が空欄であると、その後に告知放送信号を受信した場合に告知放送する事ができない可能性があるので、最初は自動的に設定しても良く、例えば、録音と放送を行う録音放送形態に自動的に設定しても良い。これにて告知放送受信機２０における告知放送処理が終了する。
【００４８】
一方、コマンドが放送種別設定コマンドではないと特定した場合（告知放送コマンドであると特定した場合）（ＳＤ４、Ｎｏ）、放送形態制御部３１ｃは、当該告知放送信号のヘッダー領域に含まれる放送種別を特定し（ＳＤ６）、当該特定した放送種別に対応する放送形態をメモリ３０の設定情報テーブル３０ａから取得する（ＳＤ７）。そして、当該取得した放送形態に基づいて、当該告知放送信号に基づく告知放送を行う。
【００４９】
例えば、放送形態＝「無放送形態」である場合（ＳＤ８、Ｙｅｓ）、放送形態制御部３１ｃは、当該告知放送信号に基づく告知放送を行うことなく、告知放送処理を終了する。このことにより、受信者は、聴取したくない告知放送を聴取することを回避できる。あるいは、放送形態＝「音声放送形態」である場合（ＳＤ９、Ｙｅｓ）、放送形態制御部３１ｃは、当該告知放送信号の放送内容領域に含まれる音声データに基づいて、スピーカ２７を介して告知放送を音声出力する（ＳＤ１０）。あるいは、放送形態＝「表示放送形態」である場合（ＳＤ１１、Ｙｅｓ）、放送形態制御部３１ｃは、当該告知放送信号の放送内容領域に含まれる表示データに基づいて、表示部２９のモニタ２９ｄを介して告知放送を表示出力する（ＳＤ１２）。あるいは、放送形態＝「録音放送形態」である場合（つまり、放送形態が無放送形態、音声放送形態、表示放送形態のいずれでもない場合）（ＳＤ１１、Ｎｏ）、放送形態制御部３１ｃは、当該告知放送信号に基づく告知放送をスピーカ２７を介して告知放送を音声出力すると共に、再生可能に録音する（ＳＤ１３）。具体的には、当該告知放送信号の放送内容領域に含まれる音声データを音声記録部２４に記録する。このように音声データが音声記録部２４に記録された場合には、その旨が表示部２９のモニタ２９ｄに表示されるので、受信者は、この表示を見ることで音声データが音声記録部２４に記録された事実を把握することができる。そして、この音声データによる告知放送を聴取したい場合、受信者が告知再生スイッチ２８ａを押下すると（ＳＤ１４、Ｙｅｓ）、放送形態制御部３１ｃは、音声記録部２４から呼び出した音声データに基づいて、スピーカ２７を介して告知放送を音声出力する（ＳＤ１５）。なお、ＳＤ１０、ＳＤ１２、ＳＤ１５においては、一般放送表示灯２９ｃを点灯させる。これにて告知放送受信機２０における告知放送処理が終了する。
【００５０】
（実施の形態の効果）
このように実施の形態によれば、告知放送信号に含まれる放送種別に対応する放送形態により告知放送を行うので、放送種別毎に放送の有無や放送の出力形態を任意の選択することが可能になり、告知放送システム１の利便性を向上させることが可能になる。
【００５１】
また、無放送形態、音声放送形態、表示放送形態、又は録音放送形態、の中の少なくとも２つの放送形態を設定することで、放送種別毎にこれら少なくとも２つの放送形態を切替えて告知放送を行うことが可能になり、告知放送システム１の利便性を向上させることが可能になる。
【００５２】
また、緊急告知放送用の告知放送信号であると特定した場合には、放送種別に関わらず緊急告知放送を行うので、放送種別により放送形態の切替えを可能とした場合においても、緊急告知放送を確実に行うことが可能になる。
【００５３】
また、告知放送信号から放送種別を取得して告知放送受信機２０に設定することができるので、新規な放送種別が発生した場合であっても、この放送種別をセンター側から告知放送受信機２０に設定することが可能になる。
【００５４】
また、放送種別を告知放送信号に含めて送信することができるので、この放送種別を用いて告知放送受信機２０において放送の有無や放送の出力形態を任意に選択することが可能になり、告知放送システム１の利便性を向上させることが可能になる。
【００５５】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、告知放送システムの利便性を従来より向上させることができない場合であっても、従来と同程度の利便性を従来と異なる技術により得ることができている限りにおいて、本願発明の課題は達成されている。
【００５７】
（放送種別について）
上記実施の形態では、新規な放送種別を告知放送送信機１０から告知放送受信機２０に対して設定できるものとして説明したが、告知放送受信機２０から告知放送送信機１０に対して設定できるようにしてもよい。例えば、告知放送受信機２０の操作部２８を介して新規な放送種別が入力された場合に、告知放送受信機２０は、当該入力された放送種別を設定情報テーブル３０ａに格納すると共に、この放送種別を含む設定要求信号を上り信号として伝送経路４０を介して告知放送送信機１０に送信する。そして、告知放送送信機１０は、この設定要求信号に含まれる放送種別をメモリ１５に格納する。
【００５８】
上記実施の形態では、放送種別と放送形態の対応関係を告知放送受信機２０において設定できるものとして説明したが、告知放送送信機１０から告知放送受信機２０に対して設定できるようにしてもよい。例えば、告知放送送信機１０の操作部１１を介して放送種別と放送形態の対応関係が入力された場合に、告知放送送信機１０は、当該入力された放送種別と放送形態の対応関係を含む設定要求信号を伝送経路４０を介して告知放送受信機２０に送信する。そして、告知放送受信機２０は、この設定要求信号に含まれる放送種別と放送形態の対応関係を設定情報テーブル３０ａに格納する。
【００５９】
告知放送信号には、必ずしも放送種別を含める必要はなく、例えば、告知放送信号に放送種別が含まれていない場合には、告知放送受信機２０は所定の放送形態で告知放送を行うようにしてもよい。このような所定形態としては、例えば、一般告知放送（具体的には、音声出力と表示出力を行う形態）を採用したり、音声放送形態を採用したりしてもよい。
〔付記〕
付記１に記載の告知放送受信機は、告知放送送信機から送信された告知放送信号を受信して告知放送を行う告知放送受信機であって、前記告知放送信号に基づいて行われる告知放送の種別である放送種別と、前記告知放送信号を当該告知放送受信機において放送する際の放送形態とを、相互に関連付けて構成された設定情報を格納する設定情報格納手段と、前記告知放送信号を受信した際、当該受信した告知放送信号から前記放送種別を取得し、当該取得した放送種別に対応する放送形態を前記設定情報格納手段に格納された設定情報に基づいて特定し、当該特定した放送形態により、当該受信した告知放送信号に基づく告知放送を行う放送形態制御手段とを備える。
付記２に記載の告知放送受信機は、付記１に記載の告知放送受信機において、前記放送形態として、前記受信した告知放送信号に基づく出力を行わない無放送形態、前記受信した告知放送信号に基づく音声出力を行う音声放送形態、前記受信した告知放送信号に基づく表示出力を行う表示放送形態、又は前記受信した告知放送信号に基づく放送を再生可能に録音する録音放送形態、の中の少なくとも２つの放送形態が設定され、前記放送形態制御手段は、前記特定した放送形態が前記無放送形態である場合には、前記受信した告知放送信号に基づく出力を行わず、前記特定した放送形態が前記音声放送形態である場合には、前記受信した告知放送信号に基づく音声出力を行い、前記特定した放送形態が前記表示放送形態である場合には、前記受信した告知放送信号に基づく表示出力を行い、前記特定した放送形態が前記録音放送形態である場合には、前記受信した告知放送信号に基づく音声出力又は表示出力が実行可能となるように当該告知放送信号に基づく録音を行う。
付記３に記載の告知放送受信機は、付記１又は２に記載の告知放送受信機において、前記放送形態制御手段は、前記告知放送信号を受信した際、緊急告知放送用の告知放送信号であるか否かを特定するための緊急告知放送情報を当該受信した告知放送信号から取得し、当該取得した緊急告知放送情報に基づいて当該受信した告知放送信号が緊急告知放送用の告知放送信号であるか否かを特定し、緊急告知放送用の告知放送信号であると特定した場合には、当該受信した告知放送信号に含まれる放送種別に関わらず、当該受信した告知放送信号に基づく緊急告知放送を行う。
付記４に記載の告知放送受信機は、付記１から３のいずれか一項に記載の告知放送受信機において、前記告知放送信号を受信した際、当該受信した告知放送信号から前記放送種別を取得し、当該取得した放送種別を当該告知放送受信機に設定するための処理の処理を行う放送種別設定手段を備える。
付記５に記載の告知放送送信機は、告知放送を行う告知放送受信機に告知放送信号を送信する告知放送送信機であって、前記告知放送信号に基づいて行われる告知放送の種別である放送種別の入力を受け付ける入力受付け手段と、前記告知放送信号を送信する際、前記入力受付け手段にて受け付けられた放送種別を当該告知放送信号に含めて送信する送信制御手段とを備える。
〔付記の効果〕
付記１に記載の告知放送受信機によれば、告知放送信号に含まれる放送種別に対応する放送形態により告知放送を行うので、放送種別毎に放送の有無や放送の出力形態を任意に選択することが可能になり、告知放送システムの利便性を向上させることが可能になる。
付記２に記載の告知放送受信機によれば、無放送形態、音声放送形態、表示放送形態、又は録音放送形態、の中の少なくとも２つの放送形態を設定することで、放送種別毎にこれら少なくとも２つの放送形態を切替えて告知放送を行うことが可能になり、告知放送システムの利便性を向上させることが可能になる。
付記３に記載の告知放送受信機によれば、緊急告知放送用の告知放送信号であると特定した場合には、放送種別に関わらず緊急告知放送を行うので、放送種別により放送形態の切替えを可能とした場合においても、緊急告知放送を確実に行うことが可能になる。
付記４に記載の告知放送受信機によれば、告知放送信号から放送種別を取得して告知放送受信機に設定することができるので、新規な放送種別が発生した場合であっても、この放送種別をセンター側から告知放送受信機に設定することが可能になる。
付記５に記載の告知放送送信機によれば、放送種別を告知放送信号に含めて送信することができるので、この放送種別を用いて告知放送受信機において放送の有無や放送の出力形態を任意の選択することが可能になり、告知放送システムの利便性を向上させることが可能になる。
【符号の説明】
【００６０】
１  告知放送システム
１０  告知放送送信機
１１、２８  操作部
１２、２９  表示部
１５、３０  メモリ
１７  送信部
１８、３１  制御部
１８ａ  送信制御部
２０  告知放送受信機
２４  音声記録部
２７  スピーカ
２８ａ  告知再生スイッチ
２８ｂ  ラジオ再生スイッチ
２８ｃ  ボリュームスイッチ
２８ｄ  タッチパネル
２９ａ  電源表示灯
２９ｂ  緊急放送表示灯
２９ｃ  一般放送表示灯
２９ｄ  モニタ
３０ａ  設定情報テーブル
３１ａ  放送種別設定部
３１ｂ  放送形態設定部
３１ｃ  放送形態制御部
【図１】
0005996251.tif 000002
【図２】
0005996251.tif 000003
【図３】
0005996251.tif 000004
【図４】
0005996251.tif 000005
【図５】
0005996251.tif 000006
【図６】
0005996251.tif 000007
【図７】
0005996251.tif 000008
【図８】
0005996251.tif 000009